(57)【要約】      （修正有）【課題】ポールに取り付けられた装柱部材の存在又はポールの周面の形状等に拘わらず、当該ポールを補強すべく該当箇所に取り付けることができる補強具を提供する。【解決手段】補強具１は、疵が生じたポールＰを補強すべく、ポールＰの周方向へ互いに距離を隔てて、それぞれポールＰの長手方向へ配置される複数の補強用棒状部材５，５，…と、各補強用棒状部材５，５，…の両端部側の適宜位置にそれぞれ、当該補強用棒状部材５，５，…とポールＰの周面との間に介装され、当該補強用棒状部材５，５，…をポールＰの周面から適宜距離を隔てた姿勢で挟持する複数の第１挟持部材２０Ａ，２０Ａ，…、中間挟持部材２０Ｃ，２０Ｃ，…、２０Ｃ，２０Ｃ，…、及び第２挟持部材２０Ｂ，２０Ｂ，…と、各挟持部材にそれぞれ係合され、各挟持部材をポールＰの周面に固定する帯状の複数の固定バンド３０，３０，…とを備える。【選択図】図２
0003216648.tif 000002
【実用新案登録請求の範囲】
【請求項１】
ポールの周面に取り付けられ、当該ポールの補強対象箇所を補強する補強具において、
前記補強対象箇所を補強すべく、ポールの長手方向へ配置される補強用棒状部材と、
補強用棒状部材の両端部側の適宜位置にそれぞれ、当該補強用棒状部材と前記ポールの周面との間に介装され、当該補強用棒状部材を前記ポールの周面から適宜距離を隔てた姿勢で挟持する挟持部材と、
前記両挟持部材にそれぞれ係合され、各挟持部材をポールの周面に固定する帯状の複数の固定部材と
を備えることを特徴とする補強具。
【請求項２】
ポールの周面に取り付けられ、当該ポールの補強対象箇所を補強する補強具において、
前記補強対象箇所を補強すべく、ポールの周方向へ互いに距離を隔てて、それぞれポールの長手方向へ配置される複数の補強用棒状部材と、
各補強用棒状部材の両端部側の適宜位置にそれぞれ、当該補強用棒状部材と前記ポールの周面との間に介装され、当該補強用棒状部材を前記ポールの周面から適宜距離を隔てた姿勢で挟持する複数の挟持部材と、
ポールの周方向へ相隣らせて配置される複数の挟持部材にそれぞれ係合され、各挟持部材をポールの周面に固定する帯状の複数の固定部材と
を備えることを特徴とする補強具。
【請求項３】
前記挟持部材は、対向配置した一対の側壁部の間を底部で連結してなり、前記補強用棒状部材を嵌入させてこれを挟持する挟持部と、前記ポールの周面に当接させる当接部と、該当接部と前記挟持部との間を連結する脚部とを具備し、
前記脚部には前記固定部材を挿通させるための挿通孔が開設してある
請求項１又は２記載の補強具。
【請求項４】
前記挟持部材は、補強用棒状部材の上端部に配される第１挟持部材及び補強用棒状部材の下端部に配される第２挟持部材を具備しており、
前記第１挟持部材及び第２挟持部材の挟持部を構成する両側壁部にはそれぞれ貫通孔が互いに対向するように開設してあり、
前記補強用棒状部材の両端部には、前記第１挟持部材又は第２挟持部材の貫通孔に連通し得、補強用棒状部材の両端部を対応する第１挟持部材又は第２挟持部材に固定するための固定用孔がそれぞれ貫通してある
請求項３記載の補強具。
【請求項５】
前記第２挟持部材の挟持部を構成する両側壁部の一端側には、前記補強用棒状部材の下端を担持する担持部が設けてある請求項４記載の補強具。
【請求項６】
更に、前記第２挟持部材の挟持部を構成する両側壁部の側縁に、前記補強用棒状部材の移動を制限する制限部を設けて、前記補強用棒状部材の下端部を嵌合させる嵌合部が形成してある請求項５記載の補強具。
【請求項７】
前記挟持部材は更に、前記ポールの長手方向へ配置された補強用棒状部材の中間部に配される中間挟持部材を具備しており、
該中間挟持部材の挟持部を構成する両側壁部の深さ寸法は、当該挟持部に嵌入される補強用棒状部材の高さ寸法より大きくしてあり、両側壁部であって嵌入された補強用棒状部材を超える領域にはそれぞれ貫通孔が互いに対向するように開設してある
請求項３から６のいずれかに記載の補強具。
【考案の詳細な説明】
【技術分野】
【０００１】
本考案は、電柱といったポールに亀裂及び／又は損傷等の疵が発生した場合、又は疵が発生する虞がある場合に、当該ポールを補強する補強具に関する。
【背景技術】
【０００２】
電柱又は支柱等のポールにあっては、外部衝撃又は内部劣化等によってその周面に亀裂及び／又は損傷等の疵が発生することがあり、かかる疵に対してポールの該当部分を補強する措置が講じられる場合がある。
【０００３】
図１０は、そのようなポールの補強措置に用いられる従来の補強具の使用状態を示す模式的斜視図である。
【０００４】
図１０に示した如く、ポールＰの周面であって疵発生箇所より少し上方の位置には、自在バンドを用いてなる帯状の固定バンド８０が巻き付けてあり、固定バンド８０は図示しない締付部によってポールＰに固着されている。固定バンド８０には複数の吊下げフック８１，８１，…がポールＰの周方向へ適宜の距離を隔てて垂下してあり、各吊下げフック８１，８１，…にはそれぞれ短冊形状をなした補強板金具８２，８２，…の一端部が引掛けられている。各補強板金具８２，８２，…の他端部には、正面視が縦長長方形状であり短辺方向が円弧状をなした補強板８５，８５，…が固定してあり、各補強板８５，８５，…はポールＰの周面に当接されている。
【０００５】
前述した各補強板金具８２，８２，…はその両端を固着してなるコ字状の持ち手金具８２ａ，８２ａ，…をそれぞれ備えており、各持ち手金具８２ａ，８２ａ，…内を挿通させながらポールＰ及び補強板金具８２，８２，…を囲繞させた自在バンド８３によって各補強板金具８２，８２，…の一端側がポールＰに固着されている。また、補強板金具８２，８２，…の他端近傍の位置には他の自在バンド８４がポールＰ及び補強板８５，８５，…を囲繞するように取り付けてあり、該他の自在バンド８４によって各補強板８５，８５，…の他端側がポールＰに固着されている。
【０００６】
かかる補強具によってポールＰが補強され、ポールＰの自在バンド８３と他の自在バンド８４との間に疵がある場合であってもポールＰは所要の強度を保持することができる。
【先行技術文献】
【特許文献】
【０００７】
【特許文献１】特開２００５−２８２０５５号公報
【考案の概要】
【考案が解決しようとする課題】
【０００８】
しかしながら、ポールＰには、変圧器をポールＰに固定するための変圧器取付けバンド、通信用ケーブルを支持する突出金物及び該突出金物をポールＰに固定するための突出金物用自在バンド、腕金及び該腕金をポールＰに固定するための腕金取付け金物、他の通信用ケーブルを支持する支持金物等々、複数の装柱部材が装着されている。かかるポールＰにあっては、近傍に装柱部材が設けられている領域に生じた疵については、当該装柱部材が邪魔となるためポールＰに補強具を取り付けることができなかった。また、装柱部材が設けられていない領域であっても、ポールの周面に突起が形成されている等、ポールの周面の形状によっては従来の補強具を取り付けることができない場合もあった。
【０００９】
本考案はかかる事情に鑑みてなされたものであって、ポールに取り付けられた装柱部材の存在又はポールの周面の形状等に拘わらず、当該ポールを補強すべく該当箇所に取り付けることができる補強具を提供する。
【課題を解決するための手段】
【００１０】
（１）本考案に係る補強具は、ポールの周面に取り付けられ、当該ポールの補強対象箇所を補強する補強具において、前記補強対象箇所を補強すべく、ポールの長手方向へ配置される補強用棒状部材と、補強用棒状部材の両端部側の適宜位置にそれぞれ、当該補強用棒状部材と前記ポールの周面との間に介装され、当該補強用棒状部材を前記ポールの周面から適宜距離を隔てた姿勢で挟持する挟持部材と、前記両挟持部材にそれぞれ係合され、各挟持部材をポールの周面に固定する帯状の複数の固定部材とを備えることを特徴とする。
【００１１】
（２）本考案に係る補強具は、ポールの周面に取り付けられ、当該ポールの補強対象箇所を補強する補強具において、前記補強対象箇所を補強すべく、ポールの周方向へ互いに距離を隔てて、それぞれポールの長手方向へ配置される複数の補強用棒状部材と、各補強用棒状部材の両端部側の適宜位置にそれぞれ、当該補強用棒状部材と前記ポールの周面との間に介装され、当該補強用棒状部材を前記ポールの周面から適宜距離を隔てた姿勢で挟持する複数の挟持部材と、ポールの周方向へ相隣らせて配置される複数の挟持部材にそれぞれ係合され、各挟持部材をポールの周面に固定する帯状の複数の固定部材と
を備えることを特徴とする。
【００１２】
本考案の補強具にあっては、ポールの補強対象箇所を補強するための１又は複数の補強用棒状部材と、各補強用棒状部材を挟持する複数の挟持部材と、各挟持部材をポールの周面に固定する帯状の複数の固定部材とを備えている。
【００１３】
補強用棒状部材はポールの長手方向へ配置されるようになっており、複数の補強用棒状部材を用いる場合、ポールの周方向へ互いに距離を隔てて配置される。そして、補強用棒状部材は添え木作用によりポールの補強対象箇所を補強する。補強用棒状部材は、ポールの補強対象箇所の上下方向の寸法より適宜寸法だけ長い寸法になしてあり、補強用棒状部材の両端部の適宜位置にそれぞれ配置される各挟持部材がポールの周面であって補強対象箇所から距離を隔てた位置に当接するようになっている。
【００１４】
かかる補強用棒状部材の材料及び／又は本数等を適宜に選択することによって、所要の補強強度を得ることができる。
【００１５】
一方、前述した挟持部材は、各補強用棒状部材の両端部側の適宜位置にそれぞれ、当該補強用棒状部材と前記ポールの周面との間に介装されるようになっており、これら各挟持部材によって各補強用棒状部材は、ポールの周面から適宜距離を隔てた姿勢で挟持される。
【００１６】
そして、帯状の複数の挟持部材を予め、又は各挟持部材を対応する補強用棒状部材の適宜に配設した後、ポールに掛け回した帯状の複数の固定部材を挟持部材にそれぞれ係合させ、各挟持部材によって対応する各挟持部材をポールの周面に固定する。なお、複数の補強用棒状部材を用いる場合は、各固定部材はポールの周方向へ相隣らせて配置される複数の挟持部材にそれぞれ係合させる。
【００１７】
これによって複数の補強用棒状部材をポールの周方向の適宜の位置に自在に取り付けることができるため、ポールの装柱部材が輻輳した領域であっても、又はポールの周面の形状等に拘わらず、当該装柱部材又はポール周面の凸部等を避けて補強具をポールに容易に取り付けることができる。
【００１８】
また、ポールに取り付けられた補強用棒状部材は、各挟持部材によってポールの周面から適宜の距離を隔てた姿勢で保持されるため、装柱部材を構成する自在バンドがポールの周面に配設されている場合であっても、補強用棒状部材が当該自在バンドに当接することが防止され、自在バンドの存在に拘わらず補強用棒状部材をポールに容易に取り付けることができる。
【００１９】
ここで、各挟持部材は補強用棒状部材を挟持するように構成してある。つまり、各挟持部材に補強用棒状部材を嵌入させることによって、補強用棒状部材を各挟持部材に挟持させる。そのため、各挟持部材と補強用棒状部材とを位置合わせした後、補強用棒状部材を大きく移動させることなく、各挟持部材に挟持させることできる。これによって、本補強具は各挟持部材に補強用棒状部材を取り付けるための作業負担が低く、短時間で取り付け作業を完了することができるので、作業効率も高い。
【００２０】
（３）また、本考案に係る補強具は、前記挟持部材は、対向配置した一対の側壁部の間を底部で連結してなり、前記補強用棒状部材を嵌入させてこれを挟持する挟持部と、前記ポールの周面に当接させる当接部と、該当接部と前記挟持部との間を連結する脚部とを具備し、前記脚部には前記固定部材を挿通させるための挿通孔が開設してあることを特徴とする。
【００２１】
本考案の補強具にあっては、前記挟持部材は、対向配置した一対の側壁部の間を底部で連結してなり、前記補強用棒状部材を嵌入させてこれを挟持する挟持部と、前記ポールの周面に当接させる当接部と、該当接部と前記挟持部との間を連結する脚部とを具備し、脚部には固定部材を挿通させるための挿通孔が開設してあり、これによって挟持部に挟持された補強用棒状部材がポールの周面から適宜の距離を隔てた姿勢でポールに取り付けられる。
【００２２】
また、脚部には前述した固定部材を挿通させるための挿通孔が開設してあり、これによって挟持部材を挟持部材に容易に係合させることができる。
【００２３】
（４）本考案に係る補強具は、前記挟持部材は、補強用棒状部材の上端部に配される第１挟持部材及び補強用棒状部材の下端部に配される第２挟持部材を具備しており、前記第１挟持部材及び第２挟持部材の挟持部を構成する両側壁部にはそれぞれ貫通孔が互いに対向するように開設してあり、前記補強用棒状部材の両端部には、前記第１挟持部材又は第２挟持部材の貫通孔に連通し得、補強用棒状部材の両端部を対応する第１挟持部材又は第２挟持部材に固定するための固定用孔がそれぞれ貫通してあることを特徴とする。
【００２４】
本考案の補強具にあっては、前述した挟持部材は、補強用棒状部材の上端部に配される第１挟持部材と、補強用棒状部材の下端部に配される第２挟持部材とを具備しており、第１挟持部材によってポールの長手方向へ配された補強用棒状部材の上端部が挟持され、第２挟持部材によってポールの長手方向へ配された補強用棒状部材の下端部が挟持される。
【００２５】
かかる第１挟持部材及び第２挟持部材は前述した挟持部をそれぞれ具備しており、各挟持部を構成する両側壁部にはそれぞれ貫通孔が、互いに対向するように開設してある。一方、補強用棒状部材の両端部には、前記第１挟持部材又は第２挟持部材の貫通孔に連通し得、補強用棒状部材の両端部を対応する第１挟持部材又は第２挟持部材に固定するための固定用孔がそれぞれ貫通してある。従って、ポールの長手方向へ配された補強用棒状部材の上端部を第１挟持部材に嵌入させ、補強用棒状部材の上端部に開設された固定用孔と第１挟持部材の挟持部を構成する両側壁部にそれぞれ開設した貫通孔とを連通させ、両貫通孔及び固定用孔にボルト等を挿通させてナットを螺合するといったネジ止めを行うことによって、補強用棒状部材の上端部を第１挟持部材にて挟持固定することができる。同様に、補強用棒状部材の下端部に開設された固定用孔と第２挟持部材の挟持部を構成する両側壁部にそれぞれ開設した貫通孔とを連通させ、両貫通孔及び固定用孔にボルト等を挿通させてナットを螺合するといったネジ止めを行うことによって、補強用棒状部材の下端部を第２挟持部材にて挟持固定することができる。
【００２６】
（５）一方、本考案に係る補強具は、前記第２挟持部材の挟持部を構成する両側壁部の一端側には、前記補強用棒状部材の下端を担持する担持部が設けてあることを特徴とする。
【００２７】
本考案の補強具にあっては、例えば、前述した第２挟持部材の挟持部を構成する両側壁部の一端側に壁部を架設することによって、補強用棒状部材の下端を担持する担持部が設けてあるため、補強用棒状部材の固定作業中、補強用棒状部材が第２挟持部材から抜け落ちる事故を防止することができる。なお、かかる担持部は、両側壁部の一端に、棒材又は格子材を設けてもよく、また両側壁部の一端内面に突起を設けてもよく、更に両側壁部の一端縁近傍を縮径してもよい。
【００２８】
（６）本考案に係る補強具は、更に、前記第２挟持部材の挟持部を構成する両側壁部の側縁に、前記補強用棒状部材の移動を制限する制限部を設けて、前記補強用棒状部材の下端部を嵌合させる嵌合部が形成してあることを特徴とする。
【００２９】
本考案の補強具にあっては、前述した第２挟持部材の挟持部を構成する両側壁部の側縁に、補強用棒状部材の側部の移動を制限する制限部を更に設けて、補強用棒状部材の下端部を嵌合させる嵌合部が形成してあり、補強用棒状部材の下端部を嵌合部に嵌合させ、補強用棒状部材の他の部分を第１挟持部材、又は中間挟持部材に挟持させる。嵌合部に嵌合された補強用棒状部材の下端部は、当該嵌合部によってその周囲を囲繞されているため、ポールの下方のみならず、四方へ抜出することが防止され、これによって補強用棒状部材の固定作業中、補強用棒状部材が第２挟持部材から抜け落ちる事故を更に防止することができる。なお、かかる制限部は、両側壁部の側縁に、棒材又は格子材を設けてもよく、また両側壁部の側縁の内面に突起を設けてもよく、更に両側壁部の側縁近傍を縮径してもよい。
【００３０】
（７）本考案に係る補強具は、前記挟持部材は更に、前記ポールの長手方向へ配置された補強用棒状部材の中間部に配される中間挟持部材を具備しており、該中間挟持部材の挟持部を構成する両側壁部の深さ寸法は、当該挟持部に嵌入される補強用棒状部材の高さ寸法より大きくしてあり、両側壁部であって嵌入された補強用棒状部材を超える領域にはそれぞれ貫通孔が互いに対向するように開設してあることを特徴とする。
【００３１】
本考案の補強具にあっては、前述した挟持部材は更に、ポールの長手方向へ配置された補強用棒状部材の中間部に配される中間挟持部材を具備しており、該中間挟持部材によってポールの長手方向の中間領域が挟持固定される。これによって、補強用棒状部材をより強固に固定することができる。
【００３２】
かかる中間挟持部材の挟持部を構成する両側壁部の深さ寸法は、挟持部に嵌入される補強用棒状部材の高さ寸法より大きくしてある。両側壁部であって、嵌入された補強用棒状部材を超える領域にはそれぞれ、貫通孔が互いに対向するように開設してある。ポールの長手方向へ配置された補強用棒状部材の中間部は、中間挟持部材の挟持部内に嵌入され、両側壁部の嵌入された補強用棒状部材を超える領域に開設された貫通孔に例えばボルトを挿通させ、ボルトに螺合したナットを締め付けることによって、挟持部内に嵌入された補強用棒状部材の中間領域を挟持固定する。
【００３３】
このように、中間挟持部材の挟持部内に補強用棒状部材の中間部を嵌入させ、両貫通孔を用いてネジ止めすることによって、補強用棒状部材の中間部を中間挟持部材に固定することができるため、補強用棒状部材を大きく移動させることなく、中間挟持部材に挟持させることができる。従って前同様、中間挟持部材に補強用棒状部材を取り付けるための作業負担が低く、短時間で取り付け作業を完了することができるので、作業効率も高い。
【図面の簡単な説明】
【００３４】
【図１】本考案に係る補強具の使用状態の一例を示す模式的側面図である。
【図２】図１に示した補強具の側面図である。
【図３】図１に示した補強具の平面図である。
【図４】図２に示した第１挟持部材の一例を示す斜視図である。
【図５】中間挟持部材の一例を示す斜視図である。
【図６】第２挟持部材の一例を示す斜視図である。
【図７】図２及び図３に示した補強用棒状部材の一例を示す斜視図である。
【図８】図２及び図３に示した固定バンドの一例を示す平面図である。
【図９】補強具を電柱に取り付ける一方法を説明する説明図である。
【図１０】従来の補強具の使用状態を示す模式的斜視図である。
【考案を実施するための形態】
【００３５】
本考案に係る補強具を図面に基づいて詳述する。
なお、本実施の形態で説明する補強具は、本考案の趣旨を説明する一例であり、本考案はその趣旨を逸脱しない範囲での変形や改造を含むことはいうまでもない。
【００３６】
図１は本考案に係る補強具の使用状態の一例を示す模式的側面図であり、図中、Ｐは電柱といったポールである。ポールＰの上部領域には、変圧器をポールＰに固定するための変圧器取付けバンド、通信用ケーブルを支持する突出金物及び該突出金物をポールＰに固定するための突出金物用自在バンド、腕金及び該腕金をポールＰに固定するための腕金取付け金物、他の通信用ケーブルを支持する支持金物等の複数の装柱部材７０，７０，…が、ポールＰの長手方向へ比較的狭い間隔で設けられている。かかるポールＰの複数の装柱部材７０，７０，…が輻輳した領域に疵Ｋが生じた場合又は疵Ｋが生じる虞がある場合に対応して、ポールＰには該当箇所を補強する補強具１が取り付けてある。
【００３７】
なお、本考案に係る補強具１はポールＰの装柱部材７０，７０，…が輻輳していない領域に疵Ｋが生じた場合又は疵Ｋが生じる虞がある場合であっても、ポールＰの該当箇所に取り付け得ることは言うまでもない。
【００３８】
図２及び図３は、図１に示した本考案に係る補強具１の側面図及び平面図であり、両図中、５は所要の強度を有する補強用棒状部材である。
【００３９】
本考案に係る補強具１にあっては、ポールＰの長手方向と平行な姿勢で配される複数本（図２及び図３に示した場合にあっては４本）の補強用棒状部材５，５，５，５を備えており、各補強用棒状部材５，５，５，５はポールＰの周方向へ適宜の距離を隔てて配置されるようになっている。各補強用棒状部材５，５，５，５の上端部及び下端部の位置にはそれぞれ、補強用棒状部材５を挟持する第１挟持部材２０Ａ，２０Ａ，２０Ａ，２０Ａ及び第２挟持部材２０Ｂ，２０Ｂ，２０Ｂ，２０Ｂが配置してあり、補強用棒状部材５，５，５，５の上端部及び下端部は後述するように、対応する第１挟持部材２０Ａ，２０Ａ，２０Ａ，２０Ａ及び第２挟持部材２０Ｂ，２０Ｂ，２０Ｂ，２０Ｂに挟持固定されている。また、各補強用棒状部材５，５，５，５の中間位置には、１又は複数（図２に示した場合にあっては２個）の中間挟持部材２０Ｃ，２０Ｃ、２０Ｃ，２０Ｃ、２０Ｃ，２０Ｃ、２０Ｃ，２０Ｃが対応する第１挟持部材２０Ａ，２０Ａ，２０Ａ，２０Ａ及び第２挟持部材２０Ｂ，２０Ｂ，２０Ｂ，２０Ｂから適宜距離を隔てて配置してあり、各補強用棒状部材５，５，５，５の中間部分は後述するように、対応する中間挟持部材２０Ｃ，２０Ｃ、２０Ｃ，２０Ｃ、２０Ｃ，２０Ｃ、２０Ｃ，２０Ｃ内を貫通固定されている。
【００４０】
後述するようにポールＰの周方向へ相隣る第１挟持部材２０Ａ，２０Ａ，２０Ａ，２０Ａ、中間挟持部材２０Ｃ，２０Ｃ、２０Ｃ，２０Ｃ、２０Ｃ，２０Ｃ、２０Ｃ，２０Ｃ、及び第２挟持部材２０Ｂ，２０Ｂ，２０Ｂ，２０Ｂは、固定バンド（固定部材）３０，３０，３０，３０に係合・支持されるようになっており、ポールＰに外嵌させた固定バンド３０，３０，３０，３０を後述するフックボルト３３，３３，３３，３３（図８参照）によって締め付けることによって，第１挟持部材２０Ａ，２０Ａ，２０Ａ，２０Ａ、中間挟持部材２０Ｃ，２０Ｃ、２０Ｃ，２０Ｃ、２０Ｃ，２０Ｃ、２０Ｃ，２０Ｃ、及び第２挟持部材２０Ｂ，２０Ｂ，２０Ｂ，２０ＢをポールＰに固着させ得るようになっている。
【００４１】
固定バンド３０及び対応する固定バンド３０に支持された複数の第１挟持部材２０Ａ，２０Ａ，２０Ａ，２０Ａ、中間挟持部材２０Ｃ，２０Ｃ、２０Ｃ，２０Ｃ、２０Ｃ，２０Ｃ、２０Ｃ，２０Ｃ、又は第２挟持部材２０Ｂ，２０Ｂ，２０Ｂ，２０Ｂによって固定ユニット（ポール補強具ユニット部）２が構成されている。図２に示した場合にあっては、ポールＰの周囲に、当該ポールＰの長手方向へ向かって配置された各補強用棒状部材５，５，…の上端側及び下端側にそれぞれ２組ずつの固定ユニット２，２、２，２が取り付けてあり、これら固定ユニット２，２、２，２によって補強用棒状部材５，５，…はポールＰの周面から距離を隔てた姿勢で保持されている。
【００４２】
なお、上述した補強具１を構成する補強用棒状部材５，５，…、第１挟持部材２０Ａ，２０Ａ，２０Ａ，２０Ａ、中間挟持部材２０Ｃ，２０Ｃ、２０Ｃ，２０Ｃ、２０Ｃ，２０Ｃ、２０Ｃ，２０Ｃ、及び第２挟持部材２０Ｂ，２０Ｂ，２０Ｂ，２０Ｂ、並びに固定バンド３０，３０，３０，３０の材料としては、所要の強度が得られるものであればよく、金属又は樹脂等を用いることができる。
【００４３】
一方、補強用棒状部材５の寸法及び配置本数は、補強対象のポールＰ及び疵Ｋの状況に応じて定めればよく、補強用棒状部材５は１本乃至３本、又は５本以上であってもよい。なお、固定ユニット２を構成する第１挟持部材２０Ａ、中間挟持部材２０Ｃ、及び第２挟持部材２０Ｂの個数は、補強用棒状部材５の配置本数によって定められる。
【００４４】
また、本実施形態では、補強用棒状部材５，５，…の中間位置に、中間挟持部材２０Ｃ，２０Ｃ，…を設けてなる２組の固定ユニット２，２が取り付けてあるが、本考案はこれに限らず、必要とする固定強度に応じてそれぞれ、中間挟持部材２０Ｃ，２０Ｃ，…を設けてなる固定ユニット２を１組以上取り付ける。
【００４５】
次に、前述した各挟持部材の構造について詳述する。
図４は図２に示した第１挟持部材２０Ａの一例を示す斜視図であり、図５は中間挟持部材２０Ｃの一例を示す斜視図であり、また図６は第２挟持部材２０Ｂの一例を示す斜視図である。
【００４６】
図４に示した如く、第１挟持部材２０Ａは、ポールの周面に当接させるべく適宜の曲率になした板状の当接部２１ａの凸面側に、互いに平行に立設した一対の側壁部２２ａ，２２ａとの間を底部２３ａで連結することによって平面視が略コ字状の短寸溝形をなした第１挟持部２４ａが当接部２１ａから所定距離を隔てて配してあり、第１挟持部２４ａと当接部２１ａとの間は、前記両側壁部２２ａ，２２ａを延伸させた脚部２６ａ，２６ａにて連結されている。両脚部２６ａ，２６ａの当接部２１ａ側縁部の略中央位置には適宜寸法の凹部がそれぞれ設けてあり、脚部２６ａ，２６ａの前記凹部が形成された部分と前述した当接部２１ａとによって固定バンド３０を挿通させるバンド挿通孔２７ａ（２７ａ）が形成されている。このバンド挿通孔２７ａ（２７ａ）内に固定バンド３０を挿通させて、固定バンド３０を第１挟持部材２０Ａに係合させるようになっている。
【００４７】
一方、前述した第１挟持部２４ａの深さ寸法は図２に示した補強用棒状部材５の高さ寸法と略同じになしてあり、また第１挟持部２４ａを構成する両側壁部２２ａ，２２ａの間の内寸は補強用棒状部材５の幅寸法と略同じになしてある。これによって、第１挟持部２４ａ内に補強用棒状部材５の断面領域の略全てが嵌入される。第１挟持部２４ａを構成する両側壁部２２ａ，２２ａの略中央位置には当該側壁部２２ａ，２２ａを貫通する第１貫通孔２５ａ（２５ａ）がそれぞれ開設してある。図７に示したように補強用棒状部材５の両端近傍の所定位置にはそれぞれ、当該補強用棒状部材５を貫通し対応する第１挟持部２４ａ又は後述する第２挟持部２４ｂに固定するための固定用孔５１，５１が貫通させてあり、両側壁部２２ａ，２２ａの第１貫通孔２５ａ（２５ａ）と第１挟持部２４ａ内に嵌合挟持された補強用棒状部材５の固定用孔５１とに図２に示した固定用ボルト２８を挿通させて当該固定用ボルト２８に螺合させたナットを締め付けることによって、第１挟持部材２０Ａに補強用棒状部材５の上端部を固着するようになっている。
【００４８】
一方、図５に示した如く、中間挟持部材２０Ｃは、前同様、適宜の曲率になした板状の当接部２１ｃの凸面側に、互いに平行に立設した一対の側壁部２２ｃ，２２ｃとの間を底部２３ｃで連結することによって平面視が略コ字状の短寸溝形をなした中間挟持部２４ｃが当接部２１ｃから所定距離を隔てて配してあり、中間挟持部２４ｃと当接部２１ｃとの間は、前記両側壁部２２ｃ，２２ｃを延伸させた脚部２６ｃ，２６ｃにて連結されている。両脚部２６ｃ，２６ｃの当接部２１ｃ側縁部の略中央位置には適宜寸法の凹部がそれぞれ設けてあり、脚部２６ｃ，２６ｃの前記凹部が形成された部分と前述した当接部２１ｃとによって固定バンド３０を挿通させるバンド挿通孔２７ｃ（２７ｃ）が形成されている。
【００４９】
前述した中間挟持部２４ｃの深さ寸法は図２に示した補強用棒状部材５の高さ寸法より所要寸法だけ大きくなしてあり、また中間挟持部２４ｃを構成する両側壁部２２ｃ，２２ｃの間の内寸は補強用棒状部材５の幅寸法と略同じになしてある。これによって、中間挟持部２４ｃ内に補強用棒状部材５の断面領域の全てが嵌入されるとともに、両側壁部２２ｃ，２２ｃの側縁部は嵌入された補強用棒状部材５を超えて所要寸法だけ延伸している。両側壁部２２ｃ，２２ｃのかかる延伸領域の略中央位置には両延伸領域を貫通する中間貫通孔２５ｃ，２５ｃがそれぞれ開設してあり、両中間貫通孔２５ｃ，２５ｃに図２に示した固定用ボルト２８を挿通させて当該固定用ボルト２８に螺合させたナットを締め付けることによって、中間挟持部２４ｃ内に嵌入された補強用棒状部材５が抜出することを防止するようになっている。
【００５０】
また、図６に示した如く、第２挟持部材２０Ｂは、補強用棒状部材５（図２参照）を嵌入させる第２挟持部２４ｂを構成する両側壁部２２ｂ，２２ｂの一端縁の一部又は全部（図６に示した場合にあっては両側壁部２２ｂ，２２ｂの一端縁の一部）、及び両側壁部２２ｂ，２２ｂの側縁の一部又は全部（図６に示した場合にあっては両側壁部２２ｂ，２２ｂの側縁の一部）をそれぞれ板片状の第１壁部（制限部）２４ｂ−１及び第２壁部（担持部）２４ｂ−２で塞止することによって、前記補強用棒状部材５の他端部を嵌合させる箱状の嵌合部２９ｂを形成した以外は、前述した第１挟持部材２０Ａと同様の構成にしてある。なお、図６中、図４に示した各部分に対応する部分には対応する番号を付してその説明を省略する。
【００５１】
前同様、両脚部２６ｂ，２６ｂに設けられた凹部と当接部２１ｂとによってバンド挿通孔２７ｂ（２７ｂ）が形成されており、バンド挿通孔２７ｂ（２７ｂ）内に固定バンド３０を挿通させて、固定バンド３０を第２挟持部材２０Ｂに係合させ、その状態で図１に示した如く、固定バンド３０をポールＰに外嵌固定する。このとき、第２挟持部２４ｂに前述した如く形成された嵌合部２９ｂの開口が上方を向くようにする。そして、図２に示した如く、補強用棒状部材５の他端部を第２挟持部２４ｂの嵌合部２９ｂ内へ嵌入させる。前述したように、補強用棒状部材５の他端近傍にも固定用孔５１（図８参照）が貫通させてあり、第２挟持部２４ｂを構成する両側壁部２２ｂ，２２ｂの第２貫通孔２５ｂ（２５ｂ）と第２挟持部２４ｂ内に嵌入挟持された補強用棒状部材５の他端部の固定用孔５１に図２に示した固定用ボルト２８を挿通させて当該固定用ボルト２８に螺合させたナットを締め付けることによって、第２挟持部２４ｂに補強用棒状部材５の下端部を固着するようになっている。
【００５２】
このような挟持部材にあっては、脚部２６ａ，２６ａ、２６ｃ，２６ｃ、２６ｂ，２６ｂによって当接部２１ａ，２１ｃ，２１ｂから距離を隔てた位置に支持された第１挟持部２４ａ、中間挟持部２４ｃ及び第２挟持部２４ｂに補強用棒状部材５が挟持固定されるため、補強用棒状部材５はポールの周面から距離を隔てた位置に取り付けられる。従って、図１に示したようにポールＰの周面に装柱部材７０，７０，…を構成する自在バンドが存在する場合であっても、当該ポールＰに取り付けられた補強用棒状部材５が前記自在バンドに当接することを防止することができる。
【００５３】
なお、前述したように第２挟持部２４ｂにあっては、両側壁部２２ｂ，２２ｂの一端縁の一部又は全部、及び両側壁部２２ｂ，２２ｂの側縁の一部又は全部をそれぞれ板片状の第１壁部２４ｂ−１及び第２壁部２４ｂ−２で塞止することによって、箱状の嵌合部２９ｂを形成してあるが、本考案はこれに限らず、両側壁部２２ｂ，２２ｂの一端縁及び両側壁部２２ｂ，２２ｂの側縁に、棒材又は格子材を設けてもよく、また両側壁部２２ｂ，２２ｂの一端縁の内面及び両側壁部２２ｂ，２２ｂの側縁の内面に突起を設けてもよく、更に両側壁部２２ｂ，２２ｂの一端縁近傍及び両側壁部２２ｂ，２２ｂの側縁近傍を縮径してもよい。
【００５４】
図７は、図２及び図３に示した補強用棒状部材５の一例を示す斜視図である。
補強用棒状部材５は、所要強度を有する四角筒状の本体５０を具備しており、本体５０の外寸は前述した第１挟持部２４ａ、中間挟持部２４ｃ及び第２挟持部２４ｂ（図４乃至図６参照）の内寸より小さくしてある。本体５０の両端近傍にはそれぞれ、本体５０を第１挟持部２４ａ又は第２挟持部２４ｂに固定するための固定用孔５１，５１が貫通してある。
【００５５】
図８は、図２及び図３に示した固定バンド３０の一例を示す平面図である。
固定バンド３０としては図８に示したような市販の自在バンドを用いることができる。
【００５６】
この固定バンド３０は、金属帯状のバンド本体３１の一端近傍に仮止フック３２を突設してなり、バンド本体３１の他端近傍には平面視が略へ字状のフックボルト３３を貫通支持する支持部３４が立設してある。また、バンド本体３１の仮止フック３２から支持部３４に亘る領域には、仮止フック３２又はフックボルト３３の先端部が係合し得る複数の係合窓３５，３５，…がバンド本体３１の長手方向へ適宜の間隔で開設してある。
【００５７】
前述したフックボルト３３は、その先端部が前記係合窓３５に係合し得るフック部３３ａに、基端部がその周面を螺子切りしてボルトを螺合させたボルト部３３ｂにしてあり、ボルトを外した状態でボルト部３３ｂを支持部３４に貫通させてボルトを螺合させることによってフックボルト３３を支持部３４に取付けるようになっている。
【００５８】
かかる固定バンド３０にあっては、バンド本体３１をポールの周面に密に掛け回し仮止フック３２をバンド本体３１の適宜の係合窓３５に係合させて仮止する。この状態でフックボルト３３のフック部３３ａをバンド本体３１の対応する係合窓３５に係合させ、フックボルト３３のボルトを締め付けることによってバンド本体３１をポール周面の任意の高さ位置に固着させることができる。
【００５９】
なお、本考案の固定バンドにあってはかかる構成の自在バンドに限らず、種々の構成のバンドを用いることができることはいうまでもない。また、固定バンドの材料も金属に限られず、所要の強度・耐久性を有すれば樹脂材であってもよい。
【００６０】
次に、このような補強具をポールに取り付ける方法について説明する。
図９は補強具を電柱に取り付ける一方法を説明する説明図である。なお、図中、図１
〜図８に示した各部分に対応する部分にはそれぞれ同じ番号を付してその説明を省略する。
【００６１】
図９に示した如く、ポールＰの上部領域には、変圧器をポールＰに固定するための変圧器取付けバンド、通信用ケーブルを支持する突出金物及び該突出金物をポールＰに固定するための突出金物用自在バンド、腕金及び該腕金をポールＰに固定するための腕金取付け金物、他の通信用ケーブルを支持する支持金物等々、複数の装柱部材７０，７０，…がポールＰの長手方向へ比較的狭い間隔で設けられている。
【００６２】
このようなポールＰの装柱部材７０，７０，…が輻輳した領域に疵Ｋが生じた場合又は疵Ｋが生じる虞がある場合に対応して、前述した補強具を次のようにして取り付ける。なお、図９に示した場合にあっては、ポールＰの周囲にポールＰの長手方向へ向かって配置される補強用棒状部材５，５，…の上端側及び下端側にそれぞれ２組ずつの固定ユニット２，２、２，２を配設する場合について説明する。
【００６３】
ポールＰに固定ユニット２を配設するに際して、固定ユニット２を構成する固定バンド３０には、使用する補強用棒状部材５の寸法及び本数に応じた寸法及び個数の挟持部材２０Ａ，２０Ａ，…、２０Ｃ，２０Ｃ，…、２０Ｂ，２０Ｂ，…を予め取り付けておく。
【００６４】
ポールＰの補強対象箇所より適宜寸法だけ上方の位置であって装柱部材７０，７０，…が装着されていない部分、及びポールＰの補強対象箇所より適宜寸法だけ下方の位置であって装柱部材７０，７０，…が装着されていない部分にそれぞれ２組ずつの固定ユニット２，２、２，２を上下方向へ位置を異ならせ配置し、各固定バンド３０，３０、３０，３０を前述した如く仮止する。
【００６５】
このとき、最上位に配置される固定ユニット２には、図４に示した第１挟持部材２０Ａ，２０Ａ，２０Ａ，２０Ａが取り付けてあり、最下位に配置される固定ユニット２には、図６に示した第２挟持部材２０Ｂ，２０Ｂ，２０Ｂ，２０Ｂが取り付けてあり、両者の中間位置に配置される固定ユニット２には、図５に示した中間挟持部材２０Ｃ，２０Ｃ，２０Ｃ，２０Ｃが取り付けてある。なお、図８に示した如き仮止フック３２を具備しない固定バンドを用いる場合は、具備された締付具を緩く締め付けること等により仮止することができる。
【００６６】
そして、各固定ユニット２，２、２，２の第１挟持部材２０Ａ，２０Ａ，…、中間挟持部材２０Ｃ，２０Ｃ，…、２０Ｃ，２０Ｃ，…、第２挟持部材２０Ｂ，２０Ｂ，…の位置が、それぞれ上下方向へ一列であって補強用棒状部材５，５，…を取り付けた場合にポールＰから突出する装柱部材７０，７０，…に当接しないように調整し、各固定バンド３０，３０、３０，３０をポールＰに固着させる。なお、第１挟持部材２０Ａ，２０Ａ，…と第２挟持部材２０Ｂ，２０Ｂ，…との間の寸法は、補強用棒状部材５の長さ寸法に合わせておく。
【００６７】
次に、ポールＰに対して斜めの姿勢になした補強用棒状部材５の下端部を、第２挟持部材２０Ｂを構成する第２挟持部２４ｂ（図６参照）内へ嵌入させ、当該第２挟持部２４ｂによって補強用棒状部材５の下端部を保持させた後、当該補強用棒状部材５を徐々に起立させて、補強用棒状部材５の中間部を中間挟持部材２０Ｃ、２０Ｃの中間挟持部２４ｃ、２４ｃ（図５参照）内へ嵌入させ、続けて補強用棒状部材５の上端部を第１挟持部材２０Ａの第１挟持部２４ａ（図４参照）内へ嵌入させる。
【００６８】
このように、補強用棒状部材５の下端部を第２挟持部２４ｂ内へ嵌入させて補強用棒状部材５の下端部を保持させた後、補強用棒状部材５を徐々に起立させて、補強用棒状部材５の中間部を中間挟持部２４ｃ、２４ｃ内へ、また補強用棒状部材５の上端部を第１挟持部２４ａ内へ嵌入させることによって、補強用棒状部材５を大きく移動させることなく、中間挟持部材２０Ｃ，２０Ｃ及び第１挟持部材２０Ａに挟持させることできる。従って、中間挟持部材２０Ｃ，２０Ｃ及び第１挟持部材２０Ａに補強用棒状部材５を取り付けるための作業負担が低く、短時間で取り付け作業を完了することができるので、作業効率も高い。
【００６９】
次に、第１挟持部２４ａを構成する両側壁部に開設した貫通孔２５ａ（２５ａ）（図４参照）及び補強用棒状部材５の上端部に開設した固定用孔５１を貫通するように固定用ボルト２８（図２参照）を挿通させ、当該固定用ボルト２８に螺合させたナットを締め付けることによって、補強用棒状部材５の上端部を第１挟持部材２０Ａに挟持固定させる。同様に、第２挟持部２４ｂを構成する両側壁部に開設した貫通孔２５ｂ（２５ｂ）（図６参照）及び補強用棒状部材５の下端部に開設した固定用孔を貫通するように固定用ボルト２８（図２参照）を挿通させ、当該固定用ボルト２８に螺合させたナットを締め付けることによって、補強用棒状部材５の下端部を第２挟持部材２０Ｂに挟持固定させる。
【００７０】
このように、補強用棒状部材５の上端部に開設した固定用孔を貫通させた固定用ボルト２８によって、補強用棒状部材５の上端部と第１挟持部材２０Ａとを一体的に挟持固定させ、同様に、補強用棒状部材５の下端部に開設した固定用孔を貫通させた固定用ボルト２８によって、補強用棒状部材５の下端部と第２挟持部材２０Ｂとを一体的に挟持固定させるため、補強用棒状部材５の固定強度が高く、従って補強具の構造強度も高い。
【００７１】
一方、中間挟持部２４ｃ，２４ｃを構成する両側壁部であって、嵌入された補強用棒状部材５を超える領域に開設された貫通孔２５ｃ（２５ｃ）、２５ｃ（２５ｃ）（図５参照）を貫通するように固定用ボルト２８，２８（図２参照）を挿通させ、当該固定用ボルト２８，２８にそれぞれ螺合させたナットを締め付けることによって、補強用棒状部材５の中間部を中間挟持部材２０Ｃ，２０Ｃによって挟持固定する。
【００７２】
そして、他の補強用棒状部材５，５，…についても同様の操作を実施し、全ての補強用棒状部材５，５，…を取り付ける。
【００７３】
このような補強具１にあっては、ポールＰの装柱部材７０，７０，…が輻輳した領域であっても、当該装柱部材７０，７０，…を避けて固定ユニット２，２，２，２をポールＰに容易に取り付けることができる。また、ポールＰに取り付けられた補強用棒状部材５，５，５，５は、それらを挟持する第１挟持部材２０Ａ，２０Ａ，…、中間挟持部材２０Ｃ，２０Ｃ，…、２０Ｃ，２０Ｃ，…、及び第２挟持部材２０Ｂ，２０Ｂ，…によってポールＰの周面から適宜の距離を隔てた状態で保持されているため、装柱部材７０，７０，…を構成する自在バンドがポールＰの周面に配設されている場合であっても、補強用棒状部材５，５，５，５が当該自在バンドに当接することが防止され、自在バンドの存在に拘わらず補強用棒状部材５，５，５，５をポールＰに容易に取り付けることができるとともに、前記自在バンドを損傷させることが防止される。
【００７４】
更に、固定ユニット２，２，２，２の第１挟持部材２０Ａ，２０Ａ，…、中間挟持部材２０Ｃ，２０Ｃ，…、２０Ｃ，２０Ｃ，…、及び第２挟持部材２０Ｂ，２０Ｂ，…の位置を調整することによって、装柱部材７０，７０，…を構成する突出金物又は腕金等を避けて補強用棒状部材５，５，５，５をポールＰに容易に取り付けることができる。
【００７５】
一方、必要に応じて補強用棒状部材５の外形及び本数等、並びに固定ユニット２，２の数を調整することによって補強具１の強度を容易に調節することができる。
【００７６】
また、補強用棒状部材５の長さ寸法は、ポールＰの装柱部材７０，７０，…が輻輳した領域の寸法に応じて定めればよく、長尺の部材を所要長に切断して１又は複数の補強用棒状部材を現場で作製するようにしてもよい。また、本実施の形態では横断面が四角形の補強用棒状部材５を用いた場合について示したが、本考案はこれに限らず、横断面が円形であってもよく、また四角形以外の多角形であってもよい。なお、横断面が四角形以外の補強用棒状部材を用いる場合、第１挟持部２４ａ、中間挟持部２４ｃ及び第２挟持部２４ｂは当該補強用棒状部材を挟持すべく、補強用棒状部材の横断面の形状に応じた形状になす。
【符号の説明】
【００７７】
１        補強具
２        固定ユニット
５        補強用棒状部材
２０Ａ      第１挟持部材
２０Ｂ      第２挟持部材
２０Ｃ      中間挟持部材
２１ａ      当接部
２２ａ      側壁部
２４ａ      第１挟持部
２４ｂ−１  第１壁部（制限部）
２４ｂ−２  第２壁部（担持部）
２５ａ      貫通孔
２７ａ      バンド挿通孔
２８        固定用ボルト
２９ｂ      嵌合部
３０        固定バンド
５１        固定用孔
７０        装柱部材
Ｐ        ポール
Ｋ        疵
【図１】
0003216648.tif 000003
【図２】
0003216648.tif 000004
【図３】
0003216648.tif 000005
【図４】
0003216648.tif 000006
【図５】
0003216648.tif 000007
【図６】
0003216648.tif 000008
【図７】
0003216648.tif 000009
【図８】
0003216648.tif 000010
【図９】
0003216648.tif 000011
【図１０】
0003216648.tif 000012